(57)【要約】【課題】多重腰折ウェットティシューにおいて、先行ティシューが後行ティシューを容器から次々と引張り出す友連れ現象を防止すること。【解決手段】各腰折ウェットティシュー（１又は２）の上部折片（１ａ又は２ａ）又は下部折片（１ｆ又は２ｆ）の適所に三層重ねの遊折部（Ｑ１又はＱ２）を形成して、その遊折部（Ｑ１又はＱ２）の長さ（Ｌ１又はＬ２）をその多重腰折ウェットティシューの製造時に折機を調整することにより調節可能とし、それによって遊折部（Ｑ１又はＱ２）における摩擦力及び／又は相互間接着力を変化可能とする。【選択図】        図１
2007159880.tif 000002
【特許請求の範囲】
【請求項１】
先行して容器から取り出される腰折ウェットティシュー（１又は２）の下部折片（１ｆ又は２ｆ）の上方に次に後行する腰折ウェットティシュー（２又は１）の上部折片（２ａ又は１ａ）を重合させて、先行する腰折ウェットティシューを容器から取り出すときに先行側の腰折ウェットティシューと後行側の腰折ウェットティシューの間の摩擦力及び／又は相互間接着力により、後行側の腰折ウェットティシューの上部折片先端部分を容器の取り出し口から容器外に引き出すようにした多重腰折ウェットティシューであって、各腰折ウェットティシューの上部折片（１ａ又は２ａ）の適所に三層重ねの遊折部（Ｑ1又はＱ2）が形成されていることを特徴とする多重腰折ウェットティシュー。
【請求項２】
三層重ねの遊折部（Ｑ1又はＱ2）が、各腰折ウェットティシュー（１又は２）の上部折片（１ａ又は２ａ）の先端部分（１ｍ又は２ｍ）側（１ｂ又は２ｂ）を下層とし、各腰折ウェットティシュー（１又は２）の下部折片（１ｆ又は２ｆ）の後端部分（１ｎ又は２ｎ）側（１ｄ又は２ｄ）を上層として形成されていることを特徴とする請求項１記載の多重腰折ウェットティシュー。
【請求項３】
三層重ねの遊折部（Ｑ1又はＱ2）が、各腰折ウェットティシュー（１又は２）の上部折片（１ａ又は２ａ）の先端部分（１ｍ又は２ｍ）側（１ｂ又は２ｂ）を上層とし、各腰折ウェットティシュー（１又は２）の下部折片（１ｆ又は２ｆ）の後端部分（１ｎ又は２ｎ）側（１ｄ又は２ｄ）を下層として形成されていることを特徴とする請求項１記載の多重腰折ウェットティシュー。
【請求項４】
先行して容器から取り出される腰折ウェットティシュー（１又は２）の下部折片（１ｆ又は２ｆ）の上方に次に後行する腰折ウェットティシュー（２又は１）の上部折片（２ａ又は１ａ）を重合させて、先行する腰折ウェットティシューを容器から取り出すときに先行側の腰折ウェットティシューと後行側の腰折ウェットティシューの間の摩擦力及び／又は相互間接着力により、後行側の腰折ウェットティシューの上部折片先端部分を容器の取り出し口から容器外に引き出すようにした多重腰折ウェットティシューであって、各腰折ウェットティシューの下部折片（１ｆ又は２ｆ）の適所に三層重ねの遊折部（Ｑ1又はＱ2）が形成されていることを特徴とする多重腰折ウェットティシュー。
【発明の詳細な説明】
【技術分野】
【０００１】
本願発明は、容器に設けた取出口より腰折ウェットティシューを順次連続して取出し得るようにした容器入り多重腰折ウェットティシューにおける多重腰折ウェットティシューに関するものである。
【背景技術】
【０００２】
上記のような容器入り多重腰折ウェットティシューの代表的なものとして従来から図６に示すように、それぞれ紙幅の２分の１のところで紙片を下方へ折り畳んだ右向き腰折ウェットティシュー１０１の下部折片１０１ａと左向き腰折ウェットティシュー１０２の上部折片１０２ｂとを相の手に組み、順次積層したものがある。
【０００３】
一方、特許第２９５１１８７号公報（特許文献１）では、この図６に示すような従来構造の多重腰折ウェットティシューの連続取出し構造では次のような問題があることが指摘されている。
【０００４】
すなわち、多重腰折ウェットティシュー１０４は薬液等を湿潤した状態であり、各腰折ウェットティシューの折片がその端末から相当の長さに亘って薬液により接着するので、取出口１０３ａより取り出そうとする腰折ウェットティシューに次に続く腰折ウェットティシューの全体が友連れされて取出されてしまう欠点を有する。
【０００５】
そこで、上記特許文献１では、その改善案の一つとして図７に示すような多重腰折ウェットティシューの連続取出し構造を提案している。
【０００６】
これを説明すると、図７に示す多重腰折ウェットティシュー１１４は右向きの腰折ウェットティシュー１１１と左向きの腰折ウェットティシュー１１２とから成り、各右向き腰折ウェットティシュー１１１（又は左向き腰折ウェットティシュー１１２）の下部折片１１１ａ（又は１１２ａ）と各左向き腰折ウェットティシュー１１２（又は右向き腰折ウェットティシュー１１１）の上部折片１１２ｂ（又は１１１ｂ）とを相の手に組んで多重重ねしている。そして、上記各右向きと左向き腰折ウェットティシュー１１１，１１２の下部折片１１１ａ，１１２ａの遊離端側を各腰折ウェットティシューの腰折り方向とは逆方向に折り返して短巾重畳端１１１ｃ，１１２ｃを形成し、上記各右向き腰折ウェットティシュー１１１の短巾重畳端１１１ｃと、各左向き腰折ウェットティシュー１１２の上部折片１１２ｂの遊離端側とを相の手に組み、上記各左向き腰折ウェットティシュー１１２の短巾重畳端１１２ｃと、各右向き腰折ウェットティシュー１１１の上部折片１１１ｂの遊離端側とを相の手に組む。そして上記右向き腰折ウェットティシュー１１１の短巾重畳端１１１ｃと左向き腰折ウェットティシュー１１２の短巾重畳端１１２ｃとが多重腰折ウェットティシュー１１４の左半部側と右半部側に按分される構成とする。図７においては上記各右向きと左向きの腰折ウェットティシュー１１１，１１２の下部折片１１１ａ，１１２ａの遊離端側を同折片の基部側外面へ折り返し上記短巾重畳端１１１ｃ，１１２ｃを形成した例を示している。
【０００７】
図７に示す特許第２９５１１８７号公報記載の多重腰折ウェットティシュー１１４は上位の腰折ウェットティシューの下部端末と下位の腰折ウェットティシューの下部端末とが互いに接着せず、下位腰折ウェットティシューを過度に引き出す原因を排除する構成となっている。換言すると、例えば上位の腰折ウェットティシュー１１１の下部折片１１１ａによって形成した前記短巾重畳端１１１ｃはその折り返し片１１１ｄが下位の腰折ウェットティシュー１１２の上部折片１１２ｂと接着しない構造となっており接着巾は下部折片１１１ａの二分の一である。
【０００８】
上位の腰折ウェットティシュー１１１の短巾重畳端１１１ｃはその基部側において下位の腰折ウェットティシュー１１２の上部折片１１２ｂの遊離側と重なり合うのみである。従って上位の腰折ウェットティシュー１１１の下部折片１１１ａの全長と下位の腰折ウェットティシュー１１２の上部折片１１２ｂの全長とが重なり合って過度の友連れを来す要因を排除できる。
【０００９】
【特許文献１】特許第２９５１１８７号公報
【発明の開示】
【発明が解決しようとする課題】
【００１０】
上記図７に示す多重腰折ウェットティシューの連続取出し構造（特許第２９５１１８７号公報）は、図６に示すそれ以前の従来例に比較すると、たしかに、上位の腰折ウェットティシューの下部折片によって形成した短巾重畳端は、その折り返し片（たとえば１１１ｄ）が下位の腰折ウェットティシューの上部折片（短巾重畳端１１２ｂ）と接着しない構造となってその接着巾は下部折片１１１ａの二分の１となるという効果がある。
【００１１】
ところで、この種のウェットティシューは、その用途によって使用する原紙（ウエブ）の紙質や厚さ、及び使用する水又は薬液等の湿潤剤の性質（粘度等）や湿潤度（湿潤液の量）等が異なり、それらのことによって、容器からウェットティシューを取り出す際における、先行するティシュー（図８において符号Ｘ）の後端部分Ｘｄと後行するティシュー（図８において符号Ｙ）の先端部分Ｙｂとの間の「引き出し部重なり部分」Ｐ（長さＬｐ）における相互間摩擦力ないしは相互間接着力Ｇｐが異なる。そして容器からウェットティシューを取り出す際には、先行ティシューＸをこの相互間摩擦力ないしは相互間接着力Ｇｐを上回る引張力Ｆ1で上方に引張って後行ティシューＹと分離させる訳であるが、このとき、後行ティシューＹが必要以上に上動しないように下方に引き止める上動抵抗力Ｆ2が小さいと後行ティシューＹが先行ティシューＸに引きずられて容器から次々と引張り出される、いわゆる「友連れ」現象が生じる。
【００１２】
後行ティシューＹを下方に引き止める上動抵抗力Ｆ2は、同後行ティシューＹと容器１１３との間の摩擦力ないしは相互間接着力Ｇｎと、後行ティシューＹと該後行ティシューＹの次下位にある腰折ウェットティシューＺとの間の摩擦力ないしは相互間接着力Ｇｑ（図８では左向き腰折ウェットティシューＺの上部折片Ｚｂと後行ティシューＹの下部折片Ｙｃとの間の「折片間摩擦重なり部分」Ｑ（長さＬｑ）における摩擦力ないしは相互間接着力）の総和であり、前記「折片間摩擦重なり部分」Ｑにおける摩擦力ないしは相互間接着力Ｇｑが前記上動抵抗力Ｆ2の一定部分を占める。
【００１３】
このように、先行ティシューＸと後行ティシューＹの間の「引き出し部重なり部分」Ｐにおける相互間摩擦力ないしは相互間接着力Ｇｐと、後行ティシューＹと次下位の腰折ウェットティシューＺの「折片間摩擦重なり部分」Ｑにおける相互間摩擦力ないしは相互間接着力Ｇｑは、腰折ウェットティシューの連続取り出しを円滑に行い得るかどうかについての重要な要素となる。したがって、多重腰折ウェットティシューを製造するにあたっては、使用するティシュー原紙の紙質や使用する湿潤液の性質（粘度等）や湿潤度に応じて、上記先行ティシューＸと後行ティシューＹの間の「引き出し部重なり部分」Ｐにおける相互間摩擦力ないしは相互間接着力Ｇｐと、後行ティシューＹと次下位の腰折ウェットティシューＺの「折片間摩擦重なり部分」Ｑにおける相互間摩擦力ないしは相互間接着力Ｇｑを調整できると好都合である。そして、上記「引き出し部重なり部分」Ｐの相互間摩擦力ないしは相互間接着力Ｇｐと、「折片間摩擦重なり部分」Ｑの相互間摩擦力ないしは相互間接着力Ｇｑは、それらの「引き出し部重なり部分」Ｐの長さ（Ｌｐ）と、「折片間摩擦重なり部分」Ｑの長さ（Ｌｑ）に関係しており、したがって上記「引き出し部重なり部分」Ｐの相互間摩擦力Ｇｐと「折片間摩擦重なり部分」Ｑの相互間摩擦力Ｇｑを調整するためには「引き出し部重なり部分」Ｐの長さＬｐ及び／又は「折片間摩擦重なり部分」Ｑの長さＬｑを自由に変更し得るようにすることが望まれる。
【００１４】
これを図７に示す特許第２９５１１８７号公報記載の多重腰折ウェットティシューの例についてみれば、同図に示されている短巾重畳端１１１ｃまたは１１２ｃは、ウェットティシュー１１１（又は１１２）の下部折片１１１ａ（又は１１２ａ）を単に二つ折りしたものであってその長さが固定されている。したがって図７のものでは図８に示す「引き出し部重なり部分」Ｐの長さＬｐや「折片間摩擦重なり部分」Ｑの長さＬｑを変更することによりそれらの各部分の相互間摩擦力ないしは相互間接着力（Ｇｐ，Ｇｑ）を調整するということができない。
【００１５】
本願発明は、この点に鑑み、「引き出し部重なり部分」Ｐの長さＬｐ及び／又は「折片間摩擦重なり部分」Ｑの長さＬｑを調整可能にし、もってそれらの部分における相互間摩擦力ないしは相互間接着力Ｇｐ，Ｇｑを使用するウェットティシュー原紙の紙質や使用する湿潤液の性質あるいは湿潤度等に応じて変化させ得るようにし、延いては腰折ウェットティシューの円滑な連続取り出しが行えるようにした多重腰折ウェットティシューを提供することを課題としてなされたものである。
【課題を解決するための手段】
【００１６】
本願発明の多重腰折ウェットティシューの第１の態様は、図１〜図４に例示するように、先行して容器から取り出される腰折ウェットティシュー（１又は２）の下部折片（１ｆ又は２ｆ）の上方に次に後行する腰折ウェットティシュー（２又は１）の上部折片（２ａ又は１ａ）を重合させて、先行する腰折ウェットティシューを容器から取り出すときに先行側の腰折ウェットティシューと後行側の腰折ウェットティシューの間の摩擦力ないしは相互間接着力により、後行側の腰折ウェットティシューの上部折片先端部分を容器の取り出し口から容器外に引き出すようにした多重腰折ウェットティシューであって、各腰折ウェットティシューの上部折片（１ａ又は２ａ）の適所に三層重ねの遊折部（Ｑ1又はＱ2）が形成されていることを基本的構成とする。
【００１７】
図１〜図４において、左側の（右向き）腰折ウェットティシュー１，１・・・は、それぞれの折線１ｅを境としてその上方部分が上部折片１ａ、下方部分が下部折片１ｆとされ、右側の（左向き）腰折ウェットティシュー２，２・・・は、それぞれの折線２ｅを境としてその上方部分が上部折片２ａ、下方部分が下部折片２ｆとされている。
【００１８】
左側の腰折ウェットティシュー１の上部折片１ａの適所には三層の紙片（下層紙片１ｂ又は１ｄ、中層紙片１ｃ、上層紙片１ｄ又は１ｂ）を折り重ねて形成される三層重ねの遊折部Ｑ1が設けられ、右側の腰折ウェットティシュー２の上部折片２ａの適所には三層の紙片（下層紙片２ｂ又は２ｄ、中層紙片２ｃ、上層紙片２ｄ又は２ｂ）を折り重ねて形成される三層重ねの遊折部Ｑ2が設けられる。
【００１９】
図１、図２、図３及び図４には、三層重ねの遊折部Ｑ1及びＱ2の４種類の形態が示されている。なお、図１〜図４における遊折部Ｑ1，Ｑ2は左、右対称形であるため、以下においてはそれらを同時に説明する。
【００２０】
先ず図１〜図４に示す各多重腰折ウェットティシューの共通事項について説明すると、これらの多重腰折ウェットティシューは、各図面の（Ｂ１）に示す左側の（右向き）腰折ウェットティシュー１と各図面の（Ｃ１）に示す右側の（左向き）腰折ウェットティシュー２とが各図面（Ａ）に示すように交互に積層されている。なお、図１〜図４の各図において、（Ｂ2）は（Ｂ1）に示す右向き腰折ウェットティシュー１の展張図であり、（Ｃ2）は（Ｃ1）に示す左向き腰折ウェットティシュー２の展張図である。
【００２１】
そして、その場合において、上層側のウェットティシュー（先行ティシュー）（１又は２）の下部折片（１ｆ又は２ｆ）の上に下層側のウェットティシュー（後行ティシュー）（２又は１）の上部折片（２ａ又は１ａ）が重合される。
【００２２】
そして、これらの各多重腰折ウェットティシュー１４における三層重ねの遊折部（Ｑ1，Ｑ2）の形態は、次の２つの種類に大別される。すなわち、その１つは、図１及び図２に示されるもので、遊折部（Ｑ1，Ｑ2）を構成する三層の紙片（１ｂ，１ｃ，１ｄ又は２ｂ，２ｃ，２ｄ）のうち、上部折片（１ａ，２ａ）の先端部分（１ｍ，２ｍ）側（１ｂ，２ｂ）を下層とし、下部折片（１ｆ，２ｆ）の後端部分（１ｎ，２ｎ）側（１ｄ，２ｄ）を上層とするもの（請求項２）であり、他の１つは、図３及び図４に示すように、上部折片（１ａ，２ａ）の先端部分（１ｍ，２ｍ）側（１ｂ，２ｂ）を上層とし、下部折片（１ｆ，２ｆ）の後端部分（１ｎ，２ｎ）側（１ｄ，２ｄ）を下層とするもの（請求項３）である。
【００２３】
次に、それぞれの作用の相違について説明すると、図１及び図２に示すものは、各腰折ウェットティシュー（１，２）の上部折片（１ａ，２ａ）に形成される三層重ねの遊折部（Ｑ1，Ｑ2）において上部折片（１ａ，２ａ）の先端部分（１ｍ，２ｍ）側（１ｂ，２ｂ）が下層側となっているため、腰折ウェットティシュー（１，２）が上方へ引っ張られて取り出されるとき、その下層紙片（１ｂ，２ｂ）とその上方の中層紙片（１ｃ，２ｃ）との間で摩擦力ないしは相互間接着力が発生し、その摩擦力ないしは相互間接着力が腰折ウェットティシュー（１，２）の取り出しに対する上動抵抗力の一部となる。
【００２４】
これに対して、図３及び図４に示すものは、各腰折ウェットティシュー（１，２）の上部折片（１ａ，２ａ）に形成される三層重ねの遊折部（Ｑ1，Ｑ2）において、上部折片（１ａ，２ａ）の先端部分（１ｍ，２ｍ）側（１ｂ，２ｂ）が上層側となっているため、腰折ウェットティシュー（１，２）が上方へ引っ張られて取り出されるときにも、その上層紙片（１ｂ，２ｂ）とその下方の中層紙片（１ｃ，２ｃ）との間ではそれ程大きな摩擦力が発生せず、この三層重ね遊折部（Ｑ1，Ｑ2）の形成による腰折ウェットティシュー（１，２）に対する上動抵抗力は図１又は図２の場合よりは小さくなる。
【００２５】
すなわち、腰折ウェットティシュー（１，２）の取り出し時において、比較的大きな上動抵抗力が必要とされるときは、図１、図２に示す遊折部の形態が適しており、一方、腰折ウェットティシュー（１，２）の取り出し時において、比較的小さな上動抵抗力が必要とされるときは、図３、図４に示す遊折部の形態が適している。
【００２６】
また、本願発明の多重腰折ウェットティシューの第２の態様は、図５に例示するように、先行して容器から取り出される腰折ウェットティシュー（１又は２）の下部折片（１ｆ又は２ｆ）の上方に次に後行する腰折ウェットティシュー（２又は１）の上部折片（２ａ又は１ａ）を重合させて、先行する腰折ウェットティシューを容器から取り出すときに先行側の腰折ウェットティシューと後行側の腰折ウェットティシューの間の摩擦力ないしは相互間接着力により、後行側の腰折ウェットティシューの上部折片先端部分を容器の取り出し口から容器外に引き出すようにした多重腰折ウェットティシューであって、各腰折ウェットティシューの下部折片（１ｆ又は２ｆ）の適所に三層重ねの遊折部（Ｑ1又はＱ2）が形成されていることを基本的構成とする。
【００２７】
図５において、左側の（右向き）腰折ウェットティシュー１，１・・・は、それぞれの折線１ｅを境としてその上方部分が上部折片１ａ、下方部分が下部折片１ｆとされ、右側の（左向き）腰折ウェットティシュー２，２・・・は、それぞれの折線２ｅを境としてその上方部分が上部折片２ａ、下方部分が下部折片２ｆとされている。
【００２８】
左側の腰折ウェットティシュー１の下部折片１ｆの適所には三層の紙片（下層紙片１ｄ、中層紙片１ｃ、上層紙片１ｂ）を折り重ねて形成される三層重ねの遊折部Ｑ1が設けられ、右側の腰折ウェットティシュー２の下部折片２ｆの適所には三層の紙片（下層紙片２ｄ、中層紙片２ｃ、上層紙片２ｂ）を折り重ねて形成される三層重ねの遊折部Ｑ2が設けられる。
【００２９】
なお、図５における遊折部Ｑ1，Ｑ2は左、右対称形であるため、以下においてはそれらを同時に説明する。
【００３０】
図５に示す多重腰折ウェットティシューについて説明すると、この多重腰折ウェットティシューは、図５の（Ｂ１）に示す左側の（右向き）腰折ウェットティシュー１と図５の（Ｃ１）に示す右側の（左向き）腰折ウェットティシュー２とが図５（Ａ）に示すように交互に積層されている。なお、図５において、（Ｂ2）は（Ｂ1）に示す右向き腰折ウェットティシュー１の展張図であり、（Ｃ2）は（Ｃ1）に示す左向き腰折ウェットティシュー２の展張図である。
【００３１】
そして、その場合において、上層側のウェットティシュー（先行ティシュー）（１又は２）の下部折片（１ｆ又は２ｆ）の上に下層側のウェットティシュー（後行ティシュー）（２又は１）の上部折片（２ａ又は１ａ）が重合される。
【００３２】
そして、この多重腰折ウェットティシュー１４における三層重ねの遊折部（Ｑ1，Ｑ2）の形態は、遊折部（Ｑ1，Ｑ2）を構成する三層の紙片（１ｂ，１ｃ，１ｄ又は２ｂ，２ｃ，２ｄ）のうち、下部折片（１ｆ，２ｆ）の後端部分（１ｎ，２ｎ）側（１ｄ，２ｄ）を下層とし、上部折片（１ａ，２ａ）の先端部分（１ｍ，２ｍ）側（１ｂ，２ｂ）を上層とするものである。
【００３３】
図５に示す第２形態の多重腰折ウェットティシューの作用について説明すると、この多重腰折ウェットティシューでは、先行して容器３から取り出された腰折ウェットティシュー（図５（Ａ）では最上位のウェットティシュー１）の後端部分１ｎと後続する次下位の腰折ウェットティシュー（図５（Ａ）では取出し口３ａから先端部分２ｍが露出しているウェットティシュー２）の先端部分２ｍとの間の摩擦力ないしは相互間接着力よりも後行ティシュー２側の上動抵抗力を大きくして先行ティシューの取り出し時に後行ティシューの友連れが発生しないようにしている。すなわち、図５（Ａ）に示す多重腰折ウェットティシューでは容器３内にある最上位の腰折ウェットティシュー２は、該腰折ウェットティシュー２と容器３との間の摩擦力とともに遊折部Ｑ2における摩擦力ないしは相互間接着力が該腰折ウェットティシュー２の友連れを防止する上動抵抗力の一部となるが、この遊折部Ｑ2における摩擦力ないしは相互間接着力は、該遊折部Ｑ2部分の長さＬ2を変更することによって調節することができる。
【００３４】
なお、この遊折部Ｑ2部分の長さ調節は、図１〜図５に示すいずれかの態様の多重腰折ウェットティシューにおいても、その多重腰折ウェットティシューの製造時に折機を調整することによって行われる。
【００３５】
なお、図１〜図５においては、説明の都合上、上下の各腰折ウェットティシュー１，２の間に隙間があるように図示しているが、実際の製品においては、容器３内に積層状態で収容される上下の各腰折ウェットティシュー１，２の紙片は相互に密着しており、各図に示す多重腰折ウェットティシュー１４において先行して取り出される腰折ウェットティシュー（１又は２）の紙片と後続する次下位の腰折ウェットティシュー（２又は１）の紙片との間で上記遊折部（Ｑ1又はＱ2）における摩擦力以外にも摩擦力ないしは相互間接着力が発生するときは、その摩擦力ないしは相互間接着力も上動抵抗力として作用する。
【発明の効果】
【００３６】
本願発明は、上記のように、先行して容器から取り出される腰折ウェットティシュー（１又は２）の下部折片（１ｆ又は２ｆ）の上方に次に後行する腰折ウェットティシュー（２又は１）の上部折片（２ａ又は１ａ）を重合させて、先行する腰折ウェットティシューを容器から取り出すときに先行側の腰折ウェットティシューと後行側の腰折ウェットティシューの間の摩擦力ないしは相互間接着力により、後行側の腰折ウェットティシューの上部折片先端部分を容器の取り出し口から容器外に引き出すようにした多重腰折ウェットティシューにおいて、各腰折ウェットティシューの上部折片（１ａ又は２ａ）又は下部折片（１ｆ又は２ｆ）の適所に三層重ねの遊折部（Ｑ1又はＱ2）が形成され、さらに製造時においてその遊折部（Ｑ1又はＱ2）の長さ（Ｌ1又はＬ2）を調節可能としているので、当該遊折部（Ｑ1，Ｑ2）において発生する摩擦抵抗力ないしは相互間接着力（容器３から先行ティシューが取り出されるときに後行ティシューの友連れを防ぐ上動抵抗力の一部となる）の大きさをコントロールすることができ、腰折ウェットティシュー（１，２）の紙質や厚さ又は湿潤液の性質や湿潤度等に対応して先行ティシューと後行ティシューの間の摩擦力ないしは相互間接着力を適切にコントロールすることができ、延いては友連れのない各腰折ウェットティシューの円滑な取り出しを可能にし得る効果がある。また、その場合において、上部折片（１ａ又は２ａ）に形成した三層重ねの遊折部（Ｑ1又はＱ2）における各腰折ウェットティシュー（１又は２）の上部折片（１ａ又は２ａ）の先端部分（１ｍ又は２ｍ）側（１ｂ又は２ｂ）と、下部折片（１ｆ又は２ｆ）の後端部分（１ｎ又は２ｎ）側（１ｂ又は２ｄ）のいづれの側を上層とし、いづれの側を下層とするかによって当該遊折部（Ｑ1又はＱ2）おいて発生する摩擦抵抗力ないしは相互間接着力を変化させることもでき、これにより、先行ティシューと後行ティシュー間で発生する摩擦力ないしは相互間接着力を調整することもできる。
【発明を実施するための最良の形態】
【００３７】
続いて図面を参照して本願発明のいくつかの好適な実施例を説明すると、図１ないし図５において（Ａ）で示すものは、各実施例において容器３内に多重腰折ウェットティシュー１４が収容されている状態を示し、（Ｂ1）は多重腰折ウェットティシュー１４を構成する各左側（右向き）腰折ウェットティシュー１の折り形態図、（Ｂ2）は（Ｂ1）に示す腰折ウェットティシュー１の展張図、（Ｃ1）は多重腰折ウェットティシュー１４を構成する各右側（左向き）腰折ウェットティシュー２の折り形態図、（Ｃ2）は（Ｃ1）に示す腰折ウェットティシュー２の展張図である。
【００３８】
第１実施例
図１に示す第１実施例の多重腰折ウェットティシューは、同図（Ｂ1）に示すように折られた左側（右向き）腰折ウェットティシュー１，１・・・と同図（Ｃ1）に示すように折られた右側（左向き）腰折ウェットティシュー２，２・・・とを、一方の腰折ウェットティシュー（１又は２）の下部折片（１ｆ又は２ｆ）の後端部分（１ｎ又は２ｎ）側の上方に次に後行する腰折ウェットティシュー（２又は１）の上部折片（１ａ又は２ａ）の先端部分（１ｍ又は２ｍ）側を重合させるようにして順次積層している。
【００３９】
この第１実施例の多重腰折ウェットティシューにおいては、三層重ねの遊折部（Ｑ1又はＱ2）は次のようにして形成されている。すなわち、各遊折部（Ｑ1又はＱ2）は、各腰折ウェットティシュー（１又は２）の上部折片（１ａ又は２ａ）の先端部分（１ｍ又は２ｍ）側を下層紙片（１ｂ又は２ｂ）とし、下部折片（１ｆ又は２ｆ）の後端部分（１ｎ又は２ｎ）側を上層紙片（１ｄ又は２ｄ）として中層紙片（１ｃ又は２ｃ）とともに三層重ねに折られている。
【００４０】
なお、この第１実施例の多重腰折ウェットティシューにおいては、図１（Ａ）に示すように、左側の腰折ウェットティシュー１，１・・・に形成される遊折部Ｑ1，Ｑ1・・・は、容器３内の左半部において上下方向に整列して位置するように、また、右側の腰折ウェットティシュー２，２・・・に形成される遊折部Ｑ2，Ｑ2・・・は、容器３内の右半部において上下方向に整列して位置するように形成され、全ての遊折部（Ｑ1，Ｑ2）が左右に均等に按分されるようにしている。
【００４１】
この第１実施例の多重腰折ウェットティシューは、容器３から取り出された先行ティシュー（図１（Ａ）では最上位の腰折ウェットティシュー２）の後端部分２ｎと後行する次下位の腰折ウェットティシュー（後行ティシュー）の先端部分１ｍとの間の摩擦力ないしは相互間接着力よりも下方の腰折ウェットティシュー（１）における上動抵抗力が大きくなるようにされており、それによって先行ティシュー（２）と後行ティシュー（１）とが円滑に分離されるものである。
【００４２】
この場合、後行ティシュー（１）の上動抵抗力となるものは、後行ティシュー（１）と容器３との間の摩擦力ないしは相互間接着力、遊折部（Ｑ1）における下層紙片（１ｂ）と中層紙片（１ｃ）との間の摩擦力ないしは相互間接着力及び当該後行ティシュー（１）全体とその次下位のさらなる後行ティシュー（２）全体との間の相互間摩擦力ないしは相互間接着力である。
【００４３】
この第１実施例のものにおいて、各腰折ウェットティシュー（１又は２）の遊折部（Ｑ1又はＱ2）の長さ（Ｌ1又はＬ2）を変化させることは、具体的には、その製造時において、各腰折ウェットティシュー（１又は２）の上部折片（１ａ又は２ａ）の先端部分（１ｍ又は２ｍ）又は各腰折ウェットティシュー（１又は２）の下部折片（１ｆ又は２ｆ）の後端部分（１ｎ又は２ｎ）を左右方向に進退させる（そのように折機を調整する）ことにより行うことができる。なお、この遊折部の長さ調整の操作は、他の第２〜第５実施例のものにおいても同じであるので、他の第２〜第５実施例のものにおいてはその説明を省略する。
【００４４】
この第１実施例の多重腰折ウェットティシューの構成は、既に述べたように、遊折部（Ｑ1，Ｑ2）において比較的大きな摩擦抵抗力ないしは相互間接着力が得られるから容器３から取り出される先行ティシューの後端部分とそれに続く後行ティシューの先端部分との間の相互間摩擦力ないしは相互間接着力が大きいような製品（たとえば多重腰折ウェットティシューに使用する湿潤液の粘度が高いもの、又は湿潤度の大きいもの）に適している。
【００４５】
第２実施例
続いて、図２に示す第２実施例の多重腰折ウェットティシューについて説明すると、この第２実施例の多重腰折ウェットティシューは、図２（Ｂ1）に示すような折態様の右向き腰折ウェットティシュー１，１・・・を左側に、図２（Ｃ1）に示すような折態様の左向き腰折ウェットティシュー２，２・・・を右側にして交互に積層して容器３内に収容されている。
【００４６】
この実施例で使用する各腰折ウェットティシュー（１，２）は、上部折片（１ａ，２ａ）の先端部分（１ｍ，２ｍ）寄りに三層重ねの遊折部（Ｑ1，Ｑ2）を形成している。そして、一方の腰折ウェットティシュー（１又は２）側の上部折片（１ａ又は２ａ）の先端部分（１ｍ又は２ｍ）と遊折部（Ｑ1又はＱ2）は向かい合う他方の腰折ウェットティシュー（２又は１）側の下部折片（２ｆ又は１ｆ）の後端部分（２ｎ又は１ｎ）上に重ね合わされている。このため、左側の各腰折ウェットティシュー１側の遊折部Ｑ1，Ｑ1・・・は、容器３内の右半部側において上下方向に整列し、右側の各腰折ウェットティシュー２，２・・・側の遊折部Ｑ2，Ｑ2・・・は容器３内の左半部側において上下方向に整列し、右半部側の遊折部Ｑ1，Ｑ1・・・と左半部側の遊折部Ｑ2，Ｑ2・・・とは、容器３内において左右均等に按分されている。
【００４７】
この第２実施例の多重腰折ウェットティシューでは、容器３から腰折ウェットティシュー（１又は２）を取り出すとき、先行ティシュー（１又は２）の下部折片（１ｆ又は２ｆ）の後端部分（１ｎ又は２ｎ）が上方に重合している後行ティシュー（２又は１）を相互間の摩擦力ないしは相互間接着力により上方に引張り出すが、そのとき、三層重ねの遊折部（Ｑ2又はＱ1）の下層紙片（２ｂ又は１ｂ）は、その上層の中層紙片（２ｃ又は１ｃ）及びその下層の後行ティシュー（２又は１）の上部折片（２ａ又は１ａ）との間で相互間摩擦力ないしは相互間接着力を発生し、これが後行ティシュー（２又は１）の友連れを防ぐ上動抵抗力となる。
【００４８】
この第２実施例の多重腰折ウェットティシューにおいても、その製造時に折機を調整して遊折部（Ｑ1，Ｑ2）の長さ（Ｌ1，Ｌ2）を調整することにより、上記後行ティシューの友連れを防止する上動抵抗力を変化させることができる。
【００４９】
第３実施例
続いて、図３に示す第３実施例の多重腰折ウェットティシューについて説明すると、この第３実施例の多重腰折ウェットティシューは、図３（Ｂ1）に示すような折態様の右向き腰折ウェットティシュー１，１・・・を左側に、図３（Ｃ1）に示すような折態様の左向き腰折ウェットティシュー２，２・・・を右側にして交互に積層して容器３内に収容されている。
【００５０】
この実施例で使用する各腰折ウェットティシュー（１，２）は、上部折片（１ａ，２ａ）と下部折片（１ｆ，２ｆ）との間の折線（１ｅ，２ｅ）寄りに三層重ねの遊折部（Ｑ1，Ｑ2）を形成している。そして、一方の腰折ウェットティシュー（１又は２）側の上部折片（１ａ又は２ａ）の先端部分（１ｍ又は２ｍ）は向かい合う他方の腰折ウェットティシュー（２又は１）側の下部折片（２ｆ又は１ｆ）の後端部分（２ｎ又は１ｎ）上に重ね合わされている。このため、左側の各腰折ウェットティシュー１側の遊折部Ｑ1，Ｑ1・・・は、容器３内の左半部側において上下方向に整列し、右側の各腰折ウェットティシュー２，２・・・側の遊折部Ｑ2，Ｑ2・・・は容器３内の右半部側において上下方向に整列し、左半部側の遊折部Ｑ1，Ｑ1・・・と右半部側の遊折部Ｑ2，Ｑ2・・・とは、容器３内において左右均等に按分されている。
【００５１】
この第３実施例の多重腰折ウェットティシューでは、容器３から腰折ウェットティシュー（１又は２）を取り出すとき、先行ティシュー（１又は２）の下部折片（１ｆ又は２ｆ）の後端部分（１ｎ又は２ｎ）が上方に重合している後行ティシュー（２又は１）を相互間の摩擦力ないしは相互間接着力により上方に引張り出すが、そのとき、後行ティシュー（２又は１）と容器３との間の摩擦力ないしは相互間接着力に加えて、三層重ねの遊折部（Ｑ1又はＱ2）の下層紙片（１ｂ，２ｂ）と中層紙片（１ｃ，２ｃ）との間の摩擦力ないしは相互間接着力が後行ティシュー（２又は１）の上動抵抗力となる。この実施例の場合、遊折部（Ｑ1又はＱ2）における上層紙片（１ｂ，２ｂ）と中層紙片（１ｃ，２ｃ）との間の摩擦力ないしは相互間接着力は、図１及び図２の実施例の場合に比べて小さく、したがって先行ティシュー（１又は２）の取り出し時における後行ティシュー（２又は１）の上動抵抗力も相当程度小さくなる。
【００５２】
この第３実施例の多重腰折ウェットティシューにおいても、その製造時に折機を調整して遊折部（Ｑ1，Ｑ2）の長さ（Ｌ1，Ｌ2）を調整することにより、上記後行ティシューの友連れを防止する上動抵抗力を変化させることができる。
【００５３】
第４実施例
続いて、図４に示す第４実施例の多重腰折ウェットティシューについて説明すると、この第４実施例の多重腰折ウェットティシューは、図４（Ｂ1）に示すような折態様の右向き腰折ウェットティシュー１，１・・・を左側に、図４（Ｃ1）に示すような折態様の左向き腰折ウェットティシュー２，２・・・を右側にして交互に積層して容器３内に収容されている。
【００５４】
この実施例で使用する各腰折ウェットティシュー（１，２）は、上部折片（１ａ，２ａ）の先端部分（１ｍ，２ｍ）寄りに三層重ねの遊折部（Ｑ1，Ｑ2）を形成している。そして、一方の腰折ウェットティシュー（１又は２）側の上部折片（１ａ又は２ａ）の先端部分（１ｍ又は２ｍ）と遊折部（Ｑ1又はＱ2）は向かい合う他方の腰折ウェットティシュー（２又は１）側の下部折片（２ｆ又は１ｆ）の後端部分（２ｎ又は１ｎ）上に重ね合わされている。このため、左側の各腰折ウェットティシュー１側の遊折部Ｑ1，Ｑ1・・・は、容器３内の右半部側において上下方向に整列し、右側の各腰折ウェットティシュー２，２・・・側の遊折部Ｑ2，Ｑ2・・・は容器３内の左半部側において上下方向に整列し、右半部側の遊折部Ｑ1，Ｑ1・・・と左半部側の遊折部Ｑ2，Ｑ2・・・とは、容器３内において左右均等に按分されている。
【００５５】
この第４実施例の多重腰折ウェットティシューでは、容器３から腰折ウェットティシュー（１又は２）を取り出すとき、先行ティシュー（１又は２）の下部折片（１ｆ又は２ｆ）の後端部分（１ｎ又は２ｎ）が上方に重合している後行ティシュー（２又は１）を相互間の摩擦力ないしは相互間接着力により上方に引張り出すが、そのとき、後行ティシュー（２又は１）と容器３の間の摩擦力ないしは相互間接着力に加えて三層重ねの遊折部（Ｑ2又はＱ1）の上層紙片（２ｂ又は１ｂ）とその下層の中層紙片（２ｃ又は１ｃ）との間の相互間接着力が後行ティシュー（２又は１）の友連れを防ぐ上動抵抗力となる。
【００５６】
この実施例の場合、遊折部（Ｑ1又はＱ2）おける上層紙片（１ｂ，２ｂ）とその下層の中層紙片（１ｃ，２ｃ）との間ではそれ程大きな摩擦力が発生せず（湿潤液による相互間接着力は存在する）、したがって、先行ティシュー（１又は２）の取り出し時における後行ティシュー（２又は１）の上動抵抗力も図３に示す第３実施例のものよりも小さくなる。
【００５７】
この第４実施例の多重腰折ウェットティシューにおいても、その製造時に折機を調整して遊折部（Ｑ1，Ｑ2）の長さ（Ｌ1，Ｌ2）を調整することにより、上記後行ティシューの友連れを防止する上動抵抗力を変化させることができる。
【００５８】
第５実施例
続いて、図５に示す第５実施例の多重腰折ウェットティシューについて説明すると、この第５実施例の多重腰折ウェットティシューは、図５（Ｂ1）に示すような折態様の右向き腰折ウェットティシュー１，１・・・を左側に、図５（Ｃ1）に示すような折態様の左向き腰折ウェットティシュー２，２・・・を右側にして交互に積層して容器３内に収容されている。
【００５９】
この実施例で使用する各腰折ウェットティシュー（１，２）は、下部折片（１ｆ，２ｆ）の後端部分（１ｎ，２ｎ）寄りに三層重ねの遊折部（Ｑ1，Ｑ2）を形成している。そして、一方の腰折ウェットティシュー（１又は２）側の上部折片（１ａ又は２ａ）の先端部分（１ｍ又は２ｍ）は向かい合う他方の腰折ウェットティシュー（２又は１）側の下部折片（２ｆ又は１ｆ）に形成されている遊折部（Ｑ2又はＱ1）上に重ね合わされている。このため、左側の各腰折ウェットティシュー１側の遊折部Ｑ1，Ｑ1・・・は、容器３内の右半部側において上下方向に整列し、右側の各腰折ウェットティシュー２，２・・・側の遊折部Ｑ2，Ｑ2・・・は容器３内の左半部側において上下方向に整列し、右半部側の遊折部Ｑ1，Ｑ1・・・と左半部側の遊折部Ｑ2，Ｑ2・・・とは、容器３内において左右均等に按分されている。
【００６０】
この第５実施例の多重腰折ウェットティシューでは、容器３から腰折ウェットティシュー（１又は２）を取り出すとき、先行ティシュー（１又は２）の下部折片（１ｆ又は２ｆ）の遊折部（Ｑ1又はＱ2）が上方に重合している後行ティシュー（２又は１）の上部折片（２ａ又は１ａ）を相互間の摩擦力ないしは相互間接着力により上方に引張り出す。そのとき、後行ティシュー（２又は１）と容器３の間の摩擦力ないしは相互間接着力に加えて三層重ねの遊折部（Ｑ2又はＱ1）の上層紙片（２ｂ又は１ｂ）とその下層の中層紙片（２ｃ又は１ｃ）との間の摩擦力ないしは相互間接着力が後行ティシュー（２又は１）の友連れを防ぐ上動抵抗力となる。
【００６１】
この第５実施例の多重腰折ウェットティシューにおいても、その製造時に折機を調整して遊折部（Ｑ1，Ｑ2）の長さ（Ｌ1，Ｌ2）を調整することにより、上記後行ティシューの友連れを防止する上動抵抗力を変化させることができる。
【図面の簡単な説明】
【００６２】
【図１】（Ａ）は本願発明の第１実施例にかかる多重腰折ウェットティシューにおける各腰折ウェットティシューの組図、（Ｂ1）は左側（右向き）腰折ウェットティシューの折態様図、（Ｂ2）は（Ｂ1）に示す腰折ウェットティシューの展張図、（Ｃ1）は右側（左向き）腰折ウェットティシューの折態様図、（Ｃ2）は（Ｃ1）に示す腰折ウェットティシューの展張図である。
【図２】（Ａ）は本願発明の第２実施例にかかる多重腰折ウェットティシューにおける各腰折ウェットティシューの組図、（Ｂ1）は左側（右向き）腰折ウェットティシューの折態様図、（Ｂ2）は（Ｂ1）に示す腰折ウェットティシューの展張図、（Ｃ1）は右側（左向き）腰折ウェットティシューの折態様図、（Ｃ2）は（Ｃ1）に示す腰折ウェットティシューの展張図である。
【図３】（Ａ）は本願発明の第３実施例にかかる多重腰折ウェットティシューにおける各腰折ウェットティシューの組図、（Ｂ1）は左側（右向き）腰折ウェットティシューの折態様図、（Ｂ2）は（Ｂ1）に示す腰折ウェットティシューの展張図、（Ｃ1）は右側（左向き）腰折ウェットティシューの折態様図、（Ｃ2）は（Ｃ1）に示す腰折ウェットティシューの展張図である。
【図４】（Ａ）は本願発明の第４実施例にかかる多重腰折ウェットティシューにおける各腰折ウェットティシューの組図、（Ｂ1）は左側（右向き）腰折ウェットティシューの折態様図、（Ｂ2）は（Ｂ1）に示す腰折ウェットティシューの展張図、（Ｃ1）は右側（左向き）腰折ウェットティシューの折態様図、（Ｃ2）は（Ｃ1）に示す腰折ウェットティシューの展張図である。
【図５】（Ａ）は本願発明の第５実施例にかかる多重腰折ウェットティシューにおける各腰折ウェットティシューの組図、（Ｂ1）は左側（右向き）腰折ウェットティシューの折態様図、（Ｂ2）は（Ｂ1）に示す腰折ウェットティシューの展張図、（Ｃ1）は右側（左向き）腰折ウェットティシューの折態様図、（Ｃ2）は（Ｃ1）に示す腰折ウェットティシューの展張図である。
【図６】従来から一般的に知られている多重腰折ウェットティシューにおける各腰折ウェットティシューの折態様説明図である。
【図７】特許第２９５１１８７号公報に開示されている多重腰折ウェットティシューにおける腰折ウェットティシューの折態様説明図である。
【図８】図７に示す多重腰折ウェットティシューにおける作用説明図である。
【符号の説明】
【００６３】
１，２は腰折ウェットティシュー、３は容器、３ａは取り出し口、１ａ，２ａは上部折片、１ｂ，２ｂは遊折部Ｑ1又はＱ2における上部折片側紙片、１ｃ，２ｃは遊折部Ｑ1又はＱ2における中層紙片、１ｄ，２ｄは遊折部Ｑ1又はＱ2における下部折片側紙片、１ｅ，２ｅは腰折ウェットティシュー１又は２における折線、１ｆ，２ｆは下部折片、１ｍ，２ｍは上部折片１ａ又は２ａにおける先端部分、１ｎ，２ｎは下部折片１ｆ又は２ｆにおける後端部分、Ｑ1，Ｑ2は腰折ウェットティシュー１又は２における遊折部である。
【図１】
2007159880.tif 000003
【図２】
2007159880.tif 000004
【図３】
2007159880.tif 000005
【図４】
2007159880.tif 000006
【図５】
2007159880.tif 000007
【図６】
2007159880.tif 000008
【図７】
2007159880.tif 000009
【図８】
2007159880.tif 000010